(57)【要約】【課題】被接続オーディオ機器の第１、第２の伝送クロック周波数の対応モードに応じて音声信号の伝送クロック周波数を切替させる。【解決手段】実施形態に係る放送受信装置は、音声信号を外部接続のオーディオ機器に出力する際の伝送クロック周波数に、第１と第２の伝送クロック周波数を利用する。また、オーディオ機器を、第１の伝送クロック周波数のみ対応する第１のモードと、第１と第２の伝送クロック周波数の両方に対応する第２のモードとに分類する。接続されるオーディオ機器が第１のモードの場合、受信された音声信号が第１の音声信号であるときは第１の伝送クロック周波数で出力し、第２の音声信号であるときは放送から受信した信号内の第１の伝送クロック周波数で出力可能な別の音声信号を探索してオーディオ機器に出力する。第２のモードの場合には、受信された第１と第２の音声信号をいずれも第２の伝送クロック周波数によって出力する。【選択図】  図１
2019013023.tif 000002
【特許請求の範囲】
【請求項１】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配識別子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、
前記放送信号を受信する受信部と、
前記受信部で受信された放送信号から前記サービス記述テーブル情報を取得し、取得されたサービス記述テーブル情報のロゴ伝送識別子から前記ロゴ伝送記述情報を抽出して前記ロゴ管理情報を取得し、取得されたロゴ管理情報に基づいて前記放送信号の共通データテーブル情報のロゴデータ分配識別子から前記ロゴデータ分配情報を取得し、取得されたロゴデータ分配情報で指定される複数のセクションから前記モジュールに格納されるロゴ識別、ロゴのタイプごとのロゴデータを取得するロゴデータ取得部と、
前記受信部で受信された放送信号から前記第１の音声信号または前記第２の音声信号を取得して前記第１の伝送クロック周波数、前記第２の伝送クロック周波数のいずれかで出力する音声信号出力部とを備える放送受信装置。
【請求項２】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、
前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配識別子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重し、前記多重された放送信号を送出する送信系統に対応し、
前記放送信号を受信し、
前記受信された放送信号から前記サービス記述テーブル情報を取得し、取得されたサービス記述テーブル情報のロゴ伝送識別子から前記ロゴ伝送記述情報を抽出して前記ロゴ管理情報を取得し、取得されたロゴ管理情報に基づいて前記放送信号の共通データテーブル情報のロゴデータ分配識別子から前記ロゴデータ分配情報を取得し、取得されたロゴデータ分配情報で指定される複数のセクションから前記モジュールに格納されるロゴ識別、ロゴのタイプごとのロゴデータを取得し、前記受信された放送信号から前記第１の音声信号または前記第２の音声信号を取得して前記第１の伝送クロック周波数、前記第２の伝送クロック周波数のいずれかで出力する放送受信方法。
【請求項３】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、
前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、
前記放送信号を受信する受信部と、
前記受信部で受信された放送信号から前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得するロゴデータ取得部と、
前記受信部で受信された放送信号から前記第１の音声信号または前記第２の音声信号を取得して前記第１の伝送クロック周波数、前記第２の伝送クロック周波数のいずれかで出力する音声信号出力部とを備える放送受信装置。
【請求項４】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータを多重伝送可能な放送システムに用いられ、
前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、
前記放送信号を受信し、
前記受信された放送信号から前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送受信方法。
【請求項５】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、
前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重し、多重された放送信号を送出する送信系統に対応し、
前記放送信号を受信する受信部と、
前記受信された放送信号から前記MH-CDTを取得する第１の取得部と、
前記第１の取得部で取得されたMH-CDTのセクションから前記ロゴデータを取得し連結して表示するロゴデータ取得部と、
前記受信部で受信された放送信号から前記第１の音声信号または前記第２の音声信号を取得して前記第１の伝送クロック周波数、前記第２の伝送クロック周波数のいずれかで出力する音声信号出力部と
を備える放送受信装置。
【請求項６】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、
前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重し、多重された放送信号を送出する送信系統に対応し、
前記放送信号を受信し、
前記受信された放送信号から前記MH-CDTを取得し、
前記取得されたMH-CDTのセクションから前記ロゴデータを取得し連結して表示すると共に、前記受信された放送信号から前記第１の音声信号または前記第２の音声信号を取得して前記第１の伝送クロック周波数、前記第２の伝送クロック周波数のいずれかで出力する放送受信方法。
【請求項７】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、
前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重し、前記多重された放送信号を送出する送信系統に対応し、
前記放送信号を受信する受信部と、
前記受信部で受信された放送信号から前記MH-SDTを取得し、取得されたMH-SDTから前記MH-ロゴ伝送記述子を抽出して前記ロゴ管理情報を取得し、取得されたロゴ管理情報に基づいて前記放送信号のロゴデータ分配情報を含むMH-CDTセクションを取得し、ロゴデータ分配情報により、所望のタイプのロゴが配置されたMH-CDTを取得し、MH-CDTに分配される複数のMH-CDTセクションから前記モジュールに格納されるロゴ識別、ロゴのタイプごとのロゴデータを取得し表示するロゴデータ取得部と、
前記受信された放送信号から前記第１の音声信号または前記第２の音声信号を取得して前記第１の伝送クロック周波数、前記第２の伝送クロック周波数のいずれかで出力する音声出力部と
を備える放送受信装置。
【請求項８】
音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、
前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重して送出する送信系統に対応し、
前記放送信号を受信し、
前記受信された放送信号から前記MH-SDTを取得し、取得されたMH-SDTから前記MH-ロゴ伝送記述子を抽出して前記ロゴ管理情報を取得し、取得されたロゴ管理情報に基づいて前記放送信号のロゴデータ分配情報を含むMH-CDTセクションを取得し、ロゴデータ分配情報により、所望のタイプのロゴが配置されたMH-CDTを取得し、MH-CDTに分配される複数のMH-CDTセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する放送受信方法。
【請求項９】
さらに、外部接続のオーディオ機器を、前記第１の伝送クロック周波数のみ対応する第１のモードと、前記第１の伝送クロック周波数と前記第２の伝送クロック周波数の両方に対応する第２のモードとに分類し、接続されるオーディオ機器が第１のモードで、前記受信された音声信号が第１の音声信号である場合には、前記第１の伝送クロック周波数によってその音声信号を出力し、接続されるオーディオ機器が第２のモードで、前記受信された音声信号が第１の音声信号の場合には、前記第２の伝送クロック周波数によってその音声信号を出力するよう、前記伝送クロック周波数を決定する制御部を備える請求項１、３，５及び７のいずれか記載の放送受信装置。
【請求項１０】
外部接続のオーディオ機器を、前記第１の伝送クロック周波数のみ対応する第１のモードと、前記第１の伝送クロック周波数と前記第２の伝送クロック周波数の両方に対応する第２のモードとに分類し、接続されるオーディオ機器が第１のモードで、前記受信された音声信号が第１の音声信号である場合には、前記第１の伝送クロック周波数によってその音声信号を出力し、接続されるオーディオ機器が第２のモードで、前記受信された音声信号が第１の音声信号である場合に第２の伝送クロック周波数によってその音声信号を出力するよう、前記伝送クロック周波数を決定する請求項２、４、６及び８のいずれか記載の放送受信方法。
【発明の詳細な説明】
【技術分野】
【０００１】
本発明は、放送受信装置及び放送受信方法に関する。
【背景技術】
【０００２】
高度BS／高度広帯域CS放送におけるデジタルテレビジョン放送システムにおいては、Audio Streamのプロファイルとして、MPEG4-AAC (Moving Picture Experts Group 4 - Advanced Audio Coding) (1ch, 2ch, 5.1ch, 7.1ch, 22.2ch) とMPEG4-ALS (Moving Picture Experts Group 4 - Audio Lossless Coding) (2ch, 5.1ch) の採用が予定されている。これらのAudio Streamを受信装置から外部のオーディオ機器（AVアンプ、サウンドバー等を含む）に出力する手段としては、S/PDIF (Sony Philips Digital Interface) 規格に準拠した光ケーブル・同軸ケーブル、あるいはHDMI（登録商標）-Forum (High-Definition Multimedia Interface - Forum) で規格化されたHDMIケーブルによる伝送となる。いずれも信号の伝送方式はIEC61937で規格化されている。
【０００３】
しかし、現状のS/PDIF規格で伝送できるAudio Streamのビットレートは約1.5Mbpsまでであり、MPEG4-AACの場合は7.1chまでは現行S/PDIF規格で伝送可能である。しかしながら、22.2chではビットレートが速度不足で伝送不可能である。このためIEC61937を改訂し、伝送時のクロック周波数を倍速にして伝送レートを約3Mbpsまでに拡張する検討を進めている。さらにMPEG4-ALSの5.1chの場合は、Streamの最大ビットレートが約7.3Mbpsであるため、これを送信できるよう伝送クロック周波数を8倍速まで対応する検討も進めている。
【先行技術文献】
【非特許文献】
【０００４】
【非特許文献１】「高度広帯域衛星デジタル放送用受信装置標準規格」ARIB STD-B63  1.1版  2015年3月17日改定、一般社団法人  電波産業会
【非特許文献２】「デジタル放送におけるMMTによるメディアトランスポート方式標準規格」ARIB STD-B60  1.0版  2014年7月31日策定、一般社団法人  電波産業会
【発明の概要】
【発明が解決しようとする課題】
【０００５】
ところで、上記IEC61937にて、伝送クロックの2倍モードおよび8倍モードが定義された場合、規格上はMPEG4-ALS 5.1chまで伝送することが可能な放送受信装置及びオーディオ機器が製造可能となる。ただし、伝送クロックを2倍速や8倍速で動作させるためには、専用の部品などを採用する必要があるなど、製品のコストが高くなってしまう。
【０００６】
また、実際の放送では、ほとんどの音声がMPEG4-AAC 2chあるいは5.1chであることを考慮すると、コスト的に安価なオーディオ機器の場合には従来と同等の1.5Mbpsまで対応可能な1倍速までの対応とし、MPEG4-AAC 22.2chやMPEG4-ALSに対応した高級機種の場合のみ2倍速あるいは8倍速まで対応する、というように、区別を行うことが望ましい。しかし、オーディオ機器を光ケーブルや同軸ケーブルで受信装置と接続した場合、接続されているオーディオ機器が何倍速まで対応しているのか（どのプロファイルに対応しているのか）を受信装置側で知る手段がない。よって、受信装置側でユーザの操作により何らかの設定を行わない限り、倍速モード音声に対応していないオーディオ機器に倍速モード音声を出力してしまい、ある放送番組中はずっと音が出ないという問題が発生してしまう。
【０００７】
すなわち、第１の音声信号と第２の音声信号が選択的に伝送される放送を受信し、外部接続のオーディオ機器に受信した音声信号を出力する放送受信装置において、外部接続のオーディオ機器との間の音声信号伝送の伝送クロック周波数として第１の伝送クロック周波数と第２の伝送クロック周波数があり、第１の音声信号は第１の伝送クロック周波数と第２の伝送クロック周波数の両方で伝送可能であり、第２の音声信号は第２の伝送クロック周波数のみで伝送が可能である場合に、第２の伝送クロック周波数に対応していないオーディオ機器に第２の伝送クロック周波数で音声信号を出力してしまい、音が出ないという課題がある。
【０００８】
また、複数の音声モードが同時に伝送され、受信側で任意に選択可能となることから、音声モードをユーザに識別表示することが望ましい。
【０００９】
この実施形態の目的は、外部接続のオーディオ機器との間の音声信号伝送の伝送クロック周波数として第１の伝送クロック周波数と第２の伝送クロック周波数があり、第１の音声信号は第１の伝送クロック周波数と第２の伝送クロック周波数の両方で伝送可能であり、第２の音声信号は第２の伝送クロック周波数のみで伝送が可能である場合に、被接続オーディオ機器の対応伝送クロック周波数に適する形態で受信した音声信号を出力することができ、さらには音声モードをユーザに識別表示することのできる放送受信装置及び放送受信方法を提供することにある。
【課題を解決するための手段】
【００１０】
実施形態は、音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられる放送受信装置である。この放送受信装置は、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する放送送信装置に対応し、前記放送信号を受信して前記サービス記述テーブル情報を取得し、取得されたサービス記述テーブル情報のロゴ伝送記述子から前記ロゴ伝送記述情報を抽出して前記ロゴ管理情報を取得し、取得されたロゴ管理情報に基づいて前記放送信号の共通データテーブル情報のロゴデータ分配記述子から前記ロゴデータ分配情報を取得し、取得されたロゴデータ分配情報で指定される複数のセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する。
【図面の簡単な説明】
【００１１】
【図１】第１の実施形態に係る高度BS／高度広帯域CS放送における放送受信装置の構成を示すブロック図。
【図２】図１に示す放送受信装置とAVアンプを接続したときの音声プロファイルの切り替えを説明するためのブロック図。
【図３】従来方式における放送受信装置と外部AVアンプにおいて、音声アセット（音声モード）がAAC 2chからALS 2chに変化する放送を受信した際の動作を示す図。
【図４】従来方式における放送受信装置と外部AVアンプにおいて、音声モードがMPEG4-AAC 2chからMPEG4-AAC 5.1chに変化する放送を受信した際の動作を示す図。
【図５】従来方式における放送受信装置と外部AVアンプにおいて、音声モードがMPEG4-AAC 2chからMPEG4-AAC 22.2chに変化する放送を受信した際の動作を示す図。
【図６】図１に示す放送受信装置において、プロファイルがB接続モードの場合に、AAC 2chからAAC 22.2chに変化する放送を受信した際の動作を示す図。
【図７】図１に示す放送受信装置において、プロファイルがA接続モードの場合に、AAC 2chからAAC 22.2chに変化する放送を受信した際の動作を示す図。
【図８】図１に示す放送受信装置において、プロファイルの事前モード設定を説明するためのフローチャート。
【図９】図１に示す放送受信装置において、放送受信時の切り替え処理を説明するためのフローチャート。
【図１０】第２の実施形態に係るデジタルテレビジョン放送システムの放送用送信装置の構成を示すブロック図。
【図１１】図１０に示す送信装置のロゴデータモジュール化部の処理結果を格納する領域を説明するための図。
【図１２】図１０に示す送信装置のCDTセクション化部で用いるCDTのデータ構造を示す図。
【図１３】図１０に示す送信装置のロゴデータ分配記述子のデータ構造を示す図。
【図１４】第２の実施形態に係るデジタルテレビジョン放送システムの放送用受信装置の構成を示すブロック図。
【図１５】図１４に示す受信装置のロゴデータに関する処理動作を説明するためのフローチャート。
【図１６】第２の実施形態において、TLV/MMTに適用する場合、および第３の実施形態，第４の実施形態のデジタルテレビジョン放送システムの放送用送信装置の構成を示すブロック図。
【図１７】図１６に示す送信装置において、MH-ロゴ伝送記述子を拡張したデータ構造を示す図。
【図１８】第４の実施形態に係るデジタルテレビジョン放送システムの放送用送信装置の処理動作を説明するためのフローチャート。
【図１９】図１８に示す処理動作のdata_module_byteに関するデータ構造を示す図。
【図２０】図１８に示す処理動作のdata_module_byteに関する他のデータ構造を示す図。
【発明を実施するための形態】
【００１２】
以下、図面を参照して、本発明の実施の一形態について説明する。
【００１３】
（第１の実施形態）
以下、図１乃至図９を参照して、第１の実施形態に係る放送受信装置について説明する。
【００１４】
図１は第１の実施形態として、高度BS／高度広帯域CS放送における放送受信装置１の構成を示すブロック図である。この放送受信装置は、図示しない受信アンテナにより得られた放送波の受信信号を入力し、復調部１１で復調処理や誤り訂正復号処理を施すことでTLVストリームを復調し、TLV/MMT分離部１２によりこのTLVストリームから映像ストリームと音声ストリームを分離する。
【００１５】
上記TLV/MMT分離部１２は、音声ストリームからTLV（Type Length Value）パケットとMMT（MPEG Media Transport）パケットを分離して、それぞれ音声選択制御部１３に送る。この音声選択制御部１３は、TLVパケットのTLV情報とMMTパケットのMMT情報に基づいて、複数の音声アセットの中から出力先のAVアンプ２に適応するアセットを１つ選択し、内部再生系と外部出力系それぞれに出力する。
【００１６】
内部再生系では、デコーダ１４において、選択された音声アセットをデコードし、デコード出力が5.1chのPCMデータならばダウンミキサ（DMIX）部１５で2chのPCMデータに変換して切替部１６に送り、2chのPCMデータならば直接、切替部１６に送る。切替部１６は、音声選択制御部１３からの指示に基づいて、入力においてダウンミキサ部１５からの2chとデコーダ１４から直接供給される2chのいずれかを選択すると共に、出力において内部再生系、外部出力系のいずれかを選択する。
【００１７】
上記切替部１６で内部再生系に選択出力された2chのPCMデータはDAC（Digital-Analog Converter）１７でアナログ音声信号に変換されて、内部アンプ及びスピーカによる音声出力部１８に送られて音響再生される。また、外部出力系に選択出力された2chのPCMデータは外部出力インターフェース（I/F）１９に送られる。この外部出力インターフェース１９は、HDMI出力端子、S/PDIF光デジタル音声出力端子、S/PDIF同軸デジタル音声出力端子を備え、それぞれ外部のAVアンプ２とHDMIケーブル、S/PDIF光デジタルケーブル、S/PDIF同軸デジタルケーブルで接続可能であり、音声選択制御部１３で選択された音声アセットを外部接続のAVアンプ２へ出力する。また、外部接続のAVアンプ２の対応音声モード情報が得られていない場合には、切替部１６からの2chのPCMデータを選択してAVアンプ２へ出力する。
【００１８】
ここで、外部出力インターフェース１９では、AVアンプ２の接続時に対応音声モード情報が得られた場合には、その情報を音声選択制御部１３に送る。音声選択制御部１３は、外部出力インターフェース１８から被接続AVアンプ２の対応音声モード情報が得られた場合に、その情報を登録しておき、該当する音声モードの音声アセットが届いた場合には、その音声アセットを出力するように切替設定する。
【００１９】
一方、復調部１１で得られた映像ストリームは映像処理部１Aに送られる。この映像処理部１Aは、入力映像ストリームから所定の解像度の映像信号を生成して表示装置３に送り表示する。ここで、上記音声選択制御部１３は、被接続AVアンプ２の対応音声モードを登録設定できていない場合に、GUI（Graphical User Interface）表示部１Bにモード選択の入力操作を促すための表示をするように指示を送る。GUI表示部１Bは、その指示を受けて、映像処理部１Aを通じて表示装置３にモード選択の入力操作画面を表示させる。ユーザがその画面を見て、操作入力部１Cに対してAVアンプ２の対応音声モードを選択する操作をすることで、音声選択制御部１３に被接続AVアンプ２の対応音声モードを登録設定することができる。
【００２０】
図２は、上記放送受信装置１に外部のAVアンプ２を接続して音声アセットを伝送する処理を説明するための概念図である。図２において、受信装置１と外部のAVアンプ２との接続は、HDMIケーブル、/PDIF光デジタルケーブル、S/PDIF同軸デジタルケーブルのいずれかによって行われる。
【００２１】
まず、受信装置１がセットトップボックス（STB）のような形態の場合は、受信装置１のHDMI出力端子と外部AVアンプ２のHDMI入力端子とをHDMIケーブルにより接続する。これにより、受信装置１から音声信号が映像信号と一緒に外部AVアンプ２へと送信される。一方、受信装置１がテレビのような形態の場合には、外部AVアンプ２で再生される映像・音声信号を受信装置（テレビ）１に入力する目的で、外部AVアンプ２のHDMI出力端子と受信装置（テレビ）１のHDMI入力端子とをHDMIケーブルにより接続する。この場合、HDMIケーブル上を受信装置（テレビ）１から外部AVアンプ２の方向に音声信号のみを送信する機能（HDMI-ARC：オーディオリターンチャンネル）を利用することにより、受信装置（テレビ）の音声信号を外部AVアンプ２に送信することができる。なお、テレビ形態の受信装置１にHDMI出力端子を備えるようにし、映像・音声信号を外部AVアンプ２のHDMI入力端子に送信する機能を備えてもよい。
【００２２】
S/PDIF光デジタルケーブル、S/PDIF同軸デジタルケーブルによる接続の場合は、受信装置１のデジタル音声出力端子と外部AVアンプ２の光または同軸のデジタル音声入力端子が接続される。
【００２３】
ここで、HDMI、HDMI-ARCおよびS/PDIFのいずれの接続の場合も、受信装置１から外部AVアンプ２へ出力される音声は、１つの音声アセットのみである。複数の音声アセットを含む放送を受信した場合、受信装置１は外部AVアンプ２に出力する音声アセットを１つ選択して出力する。
【００２４】
以下、外部AVアンプ２との接続と、受信装置１内で必要な処理について説明する。
【００２５】
図２に示すように、受信装置１は複数の音声ストリーム（最大音声アセット数４）を含む放送波（TLVストリーム）を受信する。例えば、高度広帯域CS放送では、7種類の音声モードが運用され得る（なお、高度BSデジタル放送においてはAAC 1.0chの運用は行わないため6種類）。このうち、受信装置１が単独で再生することが必須とされているAAC 1.0ch（高度BSでは運用しない）、AAC 2.0ch、AAC 5.1chの3つ以外の音声モードを放送する場合は、サイマル音声が同時に放送される。表１に、放送における音声モードとサイマル音声の組み合わせ例を示す。
【表１】
2019013023.tif 000003
【００２６】
受信装置１はこのような複数の音声アセットの中から出力するアセットを1つ選択し、外部AVアンプ２に出力する。出力するアセットはユーザーが任意に選択するか、もしくは外部AVアンプ２で対応可能な音声モードがわかっている（事前に受信装置１側で設定されている）場合は自動選択としてもよい。この場合は、受信装置１本体での再生と同様、コンポーネントタグ値の小さいアセットを優先する。また、受信装置１内で音声ストリームを復号し、リニアPCMで外部AVアンプ２に出力する機能を設けてもよい。
【００２７】
外部へ出力する音声モードは、出力先の機器の対応状況に合わせての組み合わせとなる。
【００２８】
ストリーム出力における音声モードと切替動作について説明する。  
まず、S/PDIF、HDMIへのストリーム出力の方式は、IEC60958およびIEC61937により規定されている。高度BS放送・高度広帯域CS放送で運用される各音声モードを出力する場合は、それぞれ表２の規定に従い出力される。
【表２】
2019013023.tif 000004
【００２９】
なお、AAC 22.2chおよびALSの音声を送出する場合、信号のビットレートが48kHz のIEC60958フレームレートで伝送可能な範囲を超過するため、フレームレートを倍速以上に拡張する必要がある。現在、これに対応したIEC60958、IEC61937の規格改訂を準備中である。
【００３０】
音声モードが変化する放送を外部AVアンプ２に出力する際の動作例として、音声モードがMPEG4-AAC 2chからMPEG4-ALS 2chに変化する放送を受信した際の、受信装置１と外部AVアンプ２の動作を図３に示す。
【００３１】
受信装置１は、先行音声であるAAC 2chのアセットを受信し（図３（ａ））、S/PDIFに48kHzのフレームレートで出力している（図３（ｂ））。外部AVアンプ２はこのストリームを受信し、デコードしてスピーカに出音している（図３（ｃ））。この状態で放送の先行音声アセットが停止すると（図３（ａ））、受信装置１はIEC60958-1に則りS/PDIFにNULLデータストリームを50msec以上出力した後（図３（ｂ））、S/PDIFへの出力を停止する。このNULLデータストリームにより、外部AVアンプ２はバッファに溜まっている音声ストリームの吐き出しを行う。
【００３２】
受信装置１が後続音声であるALS 2chのアセットを受信すると（図３（ａ））、受信装置１はS/PDIFのフレームレートを96kHzに変更してALS 2chのストリームを出力する（図３（ｂ））。このようなS/PDIF上で変化するストリームを受信した外部AVアンプ２は、フレームレートの変化に対してPLL回路による再同期処理を行う。その後、音声ストリームのフォーマット検出、音声デコーダのAACからALSへの切替を行い、ALS復号の遅延時間を経て、後続音声がスピーカから出音される（図３（ｃ））。
【００３３】
さらに、図４及び図５に、高度BS／高度広帯域CSデジタル放送で、途中で音声モードが変化するストリームが放送されたときの、放送信号における音声モードの変化と、受信装置１からS/PDIFに出力する信号、およびAVアンプ２から出力される音声データの関係を示す。
【００３４】
図４では、MPEG4-AAC 2chからMPEG4-AAC 5.1chに音声モードが変化した場合の関係が記されている。放送信号からAAC 2chを受信した受信装置１は、48kHz（1倍速）の伝送クロックでAAC 2chの音声ストリームをS/PDIFに出力する。また、放送では音声モードが変化する約100msec前に、音声モードの変更を通知するMPTが送出される。
【００３５】
受信装置１はMPTの内容を見て、音声がAAC 2chから5.1chに変化することを知ると、S/PDIFへの音声ストリームの出力を停止する。しかし、後続の音声が5.1chであり、同じ48kHzの伝送クロックで送出できることがわかっているため、伝送クロックは出し続ける。その後、後続のAAC 5.1ch音声ストリームを受信したら、そのストリームをS/PDIFに出力する。
【００３６】
このようなS/PDIFからの信号を受信したAVアンプ２は、AAC 2chの音声が入力されている間はスピーカにAAC 2chの音声を出力し、音声なし区間に入ったら音声出力を停止し、次に音声信号が入力されたら、その音声が何であるかを検出する処理を行い、AAC 5.1chであることを判定したらスピーカに出力を行う。
【００３７】
一方、図５では、MPEG4-AAC 2chからMPEG4-AAC 22.2chに音声モードが変化した場合について記されている。図４の場合と異なるのは、MPEG4-AAC 22.2chはS/PDIFの伝送クロックが48kHzではビットレート的に送信不可能であり、伝送クロックを96kHz（2倍速）に切り替える必要がある点である。
【００３８】
音声モードの変更をMPTの更新により把握した受信装置１は、後続の音声が96kHzでの伝送が必要なMPEG4-AAC 22.2chであることを知ると、S/PDIFのAAC 2ch音声出力を停止し、その後に48kHzの伝送クロックの出力も停止する。その後、96kHzの伝送クロックの音声なしデータをS/PDIFに出力し、22.2ch音声ストリームを受信したらその音声をS/PDIFに出力する。
【００３９】
このようなS/PDIFからの信号を受信したAVアンプ２は、AAC 2ch 48kHzの信号が切断された後、96kHzの伝送クロックの信号を受信したら、PLLにより96kHzの周波数で受信装置１との同期を行う。この同期に要する時間（約200msec）経過後に音声信号を受信し、AAC 22.2chであることを把握してからスピーカに音を出す。このように伝送クロックが異なる音声モード変化が発生する場合は、出音までに要する時間が長くなる問題がある。図３に示したように、MPEG4-AAC 2chからMPEG4-ALSへの音声モード切替も、伝送クロック周波数が異なる切替となるため、同様の問題が発生する。
【００４０】
課題に記したとおり、高度BS放送では音声モードが拡張されている。その結果、従来のS/PDIF規格で定められている伝送クロック周波数では伝送レートが不足して送信できない音声モードが存在することになった。このため、S/PDIF規格を拡張し、高速伝送できるようにするためのS/PDIF規格改訂作業が行われている。表３に音声モードとS/PDIFにおける伝送クロック周波数の関係を記す。
【表３】
2019013023.tif 000005
【００４１】
高度BS放送対応のAVアンプ（サウンドバーなどの装置を含む）２としては、表３のように規格上定められている全ての音声モードを受信して出音する必要はなく、AAC 1ch/2ch/5.1chのみを対応する製品を商品化することが可能である。この場合、S/PDIFの伝送クロック周波数としては48kHzのみに対応すればよいことになる。
【００４２】
一方、AVアンプ２がMPEG4-AAC 22.2chに対応する場合には、S/PDIFの伝送クロック周波数としては48kHzと96kHzの両方に対応することになる。AVアンプ２がMPEG4-ALS 5.1chまで対応する場合には、さらに384kHzの伝送クロック周波数に対応する必要がある。
【００４３】
これらの区別を一般消費者にわかりやすく伝えるため、本実施形態ではAVアンプ製品を表４のような3つのプロファイルに分類する。  
【表４】
2019013023.tif 000006
【００４４】
一方、放送局は放送中に音声ストリームの音声モードを切り換えて送出する。例えば番組本編はMPEG4-AAC 5.1ch、CM部分はMPEG4-AAC 2chで送出する、というような形である。
【００４５】
高度BS放送では、このような音声ストリームを切り替える場合には、切替の100msec前にMPTを更新し、受信装置１に対して音声ストリームが切り替わることを事前に通知する。
【００４６】
このような放送を受信した受信装置（TV）１が内蔵スピーカで出音を行う際は、MPT更新により音声モードの切替を事前に把握すると、受信装置（TV）１はまず先行側音声の出力をミュートして切替準備を行い、音声モードを後続の音声ストリームに合わせてデコーダの設定を変更し、後続音声を受信したらスピーカに後続音声の出音を行う、という動作を行う。
【００４７】
一方、受信装置（TV）１からAVアンプ２に音声ストリームを出力し、AVアンプ２経由でスピーカに出音する場合には、図４のように、受信装置（TV）１はまず先行音声（MPEG4-AAC 2ch）をS/PDIFに出力する。MPT更新により音声モードの切り替わりを検出したら、S/PDIFへの先行音声の出力を停止する。しかし、S/PDIFの伝送クロックは48kHzのまま出し続ける。後続音声（MPEG4-AAC 5.1ch）を受信したら、受信装置（TV）１は後続音声のストリームをS/PDIFに出力する。
【００４８】
ここで、S/PDIFには音声ストリーム以外の情報を受信装置（TV）１からAVアンプ２に送信する手段が無い。このためAVアンプ２は、音声モードの切り替わりは、受信した音声ストリームの内容を都度確認し、AAC 2chからAAC 5.1chへの変化を検出する。このため、S/PDIF上のストリームでAAC 5.1chに変化した点よりも、ある程度の時間だけ遅れてスピーカから後続音声が出音されることになる。この時間はAVアンプ２が音声モード切り替わりを検出するための時間である。
【００４９】
上記の例はMPEG4-AAC 2chからMPEG4-AAC 5.1chへの変化という、S/PDIFの伝送クロック周波数が48kHzで伝送可能な音声モードの範囲内での変化が行われた場合について記されている。図５では、MPEG4-AAC 2chからMPEG4-AAC 22.2chという、異なる伝送クロック周波数への切替が必要な音声モード切り替わりについて示している。
【００５０】
先行音声であるMPEG4-AAC 2chの音声を受信した受信装置（TV）１は、S/PDIFに音声ストリームを出力する際、48kHzの伝送クロック周波数でAAC 2chのストリームを送信する。MPTの更新により、後続の音声がMPEG4-AAC 22.2chであることを把握した受信装置（TV）１は、まず先行音声の送信を停止する。次に後続音声は96kHzのクロックでないと伝送できない音声モードであるため、48kHzの伝送クロックも停止し、続いて96kHzの伝送クロックの出力を行う。その後、後続音声を受信したら、96kHzのクロックでMPEG4-AAC 22.2chの音声ストリームを送信する。
【００５１】
一方、この音声ストリームを受信するAVアンプ２側の観点では、先行音声であるMPEG4-AAC 2ch 48kHzの音声を出力中に、まず音声ストリームが停止し、その後48kHzの伝送クロックも停止される。続いて、96kHzの伝送クロックがS/PDIF経由で入力されることになる。通信のための伝送クロックの周波数が変わったため、PLL回路にて受信装置（TV）１とAVアンプ２の伝送クロックの同期処理を行う。
【００５２】
受信装置（TV）１とAVアンプ２との間の通信路の同期が図れたら、再びS/PDIF経由で音声ストリームが受信できるようになり、受信した音声ストリームの音声モードを検出し、スピーカへの出音を行う、という動作が行われる。このPLLによる同期処理にかかる時間（PLLロック時間）は約200msecと比較的長い時間かかることが想定される。よって、後続音声の先頭部分が欠けてしまう問題が発生する。
【００５３】
この問題の回避のため、受信装置（TV）１は、受信装置（TV）１に接続されているAVアンプ２がどの伝送クロック周波数まで対応可能なものか、すなわち、表４のどのプロファイルに属するAVアンプが接続されているかを、プロファイルの接続モードとして記憶する。
【００５４】
受信装置（TV）１とAVアンプ２との間の接続にHDMIケーブルが用いられている場合は、HDMIのEDID (Extended Display Identificaiton Data) あるいはHDMI-CEC (High Definition Multimedia Interface - Consumer Electronics Control) から取得できる情報により、受信装置（TV）１はAVアンプ２がどのプロファイルに属するかを判断し、プロファイルの接続モードを記憶する。例えば、MPEG2-AAC 2ch/5.1chしか対応できないAVアンプが接続されている場合、受信装置（TV）１は「Profile-A接続モード」を記憶し設定する。またMPEG2-AAC 2ch/5.1ch/22.2chが対応できるAVアンプが接続されている場合は、受信装置（TV）１は「Profile-B接続モード」を記憶し設定する。
【００５５】
一方、受信装置（TV）１とAVアンプ２の接続がS/PDIF光ケーブルあるいは同軸ケーブルである場合、受信装置（TV）１はAVアンプ２に関する情報を取得することができない。このため、受信装置（TV）１のGUIで「接続しているAVアンプのプロファイル」を入力させるメニューを作成し、ユーザに入力させる。
【００５６】
受信装置（TV）１に接続されているAVアンプ２がどのプロファイルに属するかを示す「プロファイル接続モード」を記憶設定する機能を受信装置（TV）１に備えることにより、受信装置（TV）１からS/PDIFに出力される音声ストリームは図６、図７に示すようになる。図６、図７は、MPEG4-AAC 2chからMPEG4-AAC 22.2chに音声ストリームが変化する放送を受信したときの、モード毎の受信装置（TV）１からS/PDIFに出力する信号を示した図である。
【００５７】
図６は、AAC 22.2chを取り扱うことができる、Profile-BのAVアンプが接続されている場合の図である。「Profile-B接続モード」に設定された受信装置（TV）１は、MPEG4-AAC 2chの音声をS/PDIFに出力する際、本来は48kHzで間に合うAAC 2chのストリームであっても、あえて96kHzでS/PDIFに出力する。その後、MPEG4-AAC 22.2chへの音声切替が発生しても、伝送クロックは96kHzのまま音声ストリームのみを切り替えることが可能になる。これにより、図５のようなPLLロック時間が不要になり、AAC 2chから22.2chへの切り替わり点での音の頭欠けを少なくすることができる。
【００５８】
一方、図７は、MPEG4-AAC 22.2chを取り扱うことのできない、Profile-AのAVアンプが接続されたときの図である。「Profile-A接続モード」に設定された受信装置（TV）１は、MPEG4-AAC 2chの音声をS/PDIFに出力する際、そもそも48kHz以外のクロックが使えないProfile-AのAVアンプへの出力であるため、S/PDIFの伝送クロックを48kHzにして出力する。
【００５９】
高度BS放送の場合、受信装置が必須で備えなければならない音声デコーダはMPEG4-AAC 1ch/2ch/5.1chのみであり、それ以外はオプションとなっている。このため、AAC 22.2chやMPEG4-ALSの音声を放送する場合、必ずサイマル放送としてAAC 2chまたは5.1chの音声も放送されている。
【００６０】
Profile-AのAVアンプではAAC 22.2ch音声を取り扱うことができない。このため、MPT更新によりMPEG4-AAC 22.2chへの音声切り替わりが発生することを把握した受信装置（TV）１は、Profile-AのAVアンプで取り扱い可能なAAC 2chまたは5.1chのサイマル放送音声を放送信号中から検索し、伝送クロック48kHzのままその音声をS/PDIFに出力する。この場合、AVアンプ２では、先行音声、後続音声ともMPEG4-AAC 2chとモードが変化しないストリームを受信することになるため、音声モード検出時間も必要とせず、後続音声を出力することができる。
【００６１】
このように、受信装置（TV）１とAVアンプ２との間の接続がS/PDIF光ケーブルあるいは同軸ケーブルである場合、AVアンプ２で受信可能な音声モードを受信装置（TV）１が事前に把握することは自動的には行えないが、「Profile-A接続モード」であることをGUIでユーザに事前に登録させておくことにより、必ず音が再生できるストリームをAVアンプ２に出力することができる。
【００６２】
本実施形態のMPEG4-AAC 22.2chはMPEG4-ALS 2chに読み替えることができる。またMPEG4-ALS 5.1chを取り扱う場合はProfile-Cという3つ目のプロファイルおよびモードを追加することになる。
【００６３】
以上の制御処理は、図１に示す音声選択制御部１３によって行う。この音声選択制御部１３における具体的な処理の手順を図８及び図９に示す。
【００６４】
図８は音声モード登録設定処理の手順を示すフローチャートである。まず、外部AVアンプ２の接続において、HDMIケーブルによる接続か否かを判断し（ステップS１）、HDMI接続でなれば（NO）、GUI表示（ステップS２）によりユーザにプロファイルA〜Cの選択操作を行わせ（ステップS３）、選択されたプロファイルを登録設定する（ステップS４）。
【００６５】
また、ステップS１において、HDMI接続の場合には（YES）、HDMIケーブルを通じてEDIDを入手可能か判断し（ステップS５）、EDIDが入手可能ならば（YES）、EDIDを入手して（ステップS６）、そのEDIDから機器の物理アドレスを特定して対応可能なプロファイルを判別し（ステップS７）、ステップS４に移行してそのプロファイルを登録設定する。
【００６６】
また、ステップS５において、EDIDが得られない場合は（NO）、HDMI-CECコマンドを入手し（ステップS８）、このHDMI-CECコマンドから対応可能なプロファイルを判別し（ステップS９）、ステップS４に移行してそのプロファイルを登録設定する。
【００６７】
図９は、例としてS/PDIF接続時における音声モード登録設定後の処理の手順を示すフローチャートである。まず、音声ストリームの受信中にMPTを検出すると（ステップS１１，Ｓ１２）、AVアンプ２の登録プロファイルを判定し（ステップS１３）、プロファイル接続モードがAならばクロック速度を48kHzに設定し（ステップS１４）、Bならばクロックの速度を96kHzに設定し（ステップS１５）、Cならばクロックの速度を384kHzに設定する（ステップS１６）。
【００６８】
ここで、上記クロック設定において倍速モード（96kHz, 384kHz）が選択されているか判断し（ステップS１７）、倍速モードでない場合には１倍速48kHzの音声モードに変換し（ステップS１８）、倍速モードの場合には、対応する音声モードでそれぞれS/PDIFに出力する（ステップS１９）。
【００６９】
以上のように、本実施形態に係る放送受信装置は、非倍速モードと倍速モードの音声が混在して放送される場合に、被接続オーディオ機器が倍速モードのプロファイルの音声モードに対応していない場合に、倍速モードの音声に切り替わる際に非倍速モードの音声に変換して出力することができる。
【００７０】
また、被接続オーディオ機器が倍速モードにも対応している場合に、対応プロファイルの音声モードを事前に把握して音声モード切替の前後でクロックを変更しないように設定するので、外部AVアンプからの出力音声の頭欠けをきわめて少なくすることができる。
【００７１】
また、AVアンプにおける音声モード対応状況を事前に把握することができない場合でも、GUIによりユーザがモードを指定入力することによって、出力する音声を選択することが可能になる。
【００７２】
（第２の実施形態）
ところで、上記のように複数の音声モード（音声アセット）が送信され、受信側で任意の音声モードを選択可能とした場合、番組表示欄に使用されるロゴにより、どのような音声モードが伝送されているかを識別可能とすると、ユーザはロゴを見てAVアンプを選択的に使用可能となる。例えば、通常は受信装置内蔵の音声出力で視聴している状態で、音楽番組等でロゴにALS 5.1chと表示されていれば、ユーザはその音声モードを認識してAVアンプを切替設定することができる。また、自動的に切替設定されたとしても、ロゴに番組の音声モードを識別表示することで、ユーザが現在の番組がどの音声モードで放送されているかをいつでも確認することができる。以下、第２の実施形態として、第１の実施形態の音声処理系にロゴ伝送系を付加したデジタル放送システムについて説明する。
【００７３】
以下、図１０乃至図１５を参照して、第２の実施形態に係るデジタルテレビジョン放送システムについて説明する。
【００７４】
図１０は本実施形態に係るデジタルテレビジョン放送システムの放送用送信装置の構成を示すブロック図である。この放送用送信装置は、例えばEPG（Electronic Program Guide）等の番組表示欄に使用されるロゴデータとこのロゴデータのロゴを管理するためのロゴ管理情報を入力し、それぞれロゴデータモジュール化部１０１、CDTセクション化部１０２、ロゴデータ分配記述子生成部１０３、ロゴ伝送記述子生成部１０４、SDT（Service Definition Table）セクション化部１０５を経て、多重化部１０６で映像信号や音声信号、PSI（Program Specific Information）やCDT，SDT以外のSI（Service nformation）などと共にMPEG-2_TS（Transport Stream）（以下、TS）として多重して、誤り訂正符号化や変調などの伝送路符号化（図示せず）を施した上で放送信号としてサービスエリアに向けて送信する。尚、前述のように、放送では、例えば番組の切り替え時において、音声モードが変化する約100msec前に、音声モードの変更を通知するMPTが送出される。
【００７５】
ここで、デジタルテレビジョン放送のサービスロゴデータの伝送方式では、ARIB TR-B14の5.4.1.2の規定に基づいて、CDT（Common Data Table）と呼ばれるセクション形式のテーブルを利用し、ロゴのタイプ（logo_type）と伝送するセクションとの対応関係を示すロゴ管理情報を新たな記述子として定義して、ロゴデータと共に伝送する。
【００７６】
通常、放送で使用するロゴは放送チャンネル（service）ごとに異なる。このため、それぞれのロゴデータには受信機で識別し管理するためのロゴ識別（以下、logo_id）が付与される。また、デザインや色が同じで、想定する受信機やその用途、音声モードなどの違いなどによって画素数などが異なる複数の種類のサイズのロゴデータには同一のlogo_idが付与され、それぞれの種類はロゴ種別（以下、logo_type）で区別される。また、logo_idはバージョン番号（以下、logo_version）で更新管理されている。
【００７７】
被伝送ロゴデータは、ロゴ管理情報であるlogo_id、logo_type、logo_versionと共にロゴデータモジュール化部１０１に送られる。このロゴデータモジュール化部１０１は、入力ロゴデータを圧縮し、logo_id、logo_typeごとに、図１１（ARIB TR-B14の5.4.1.2の表５−１５より引用）で規定されるデータ構造のロゴデータモジュールと呼ばれる領域に格納する。このロゴデータモジュールは、data_sizeフィールドが16ビットであるが、CDTセクション内に64kbyteのデータを格納することはできない。
【００７８】
上記ロゴデータモジュール化部１０１でロゴデータモジュールはCDTセクション化部１０２に送られる。このCDTセクション化部１０２は、ロゴデータモジュールをCDTの複数のセクションに分配して多重化部１０６に伝送する。ここで、CDTについては、図１２（ARIB TR-B14の5.4.1.2の表５−１４から引用）に示されるようなデータ構造を持っている。CDTはダウンロードデータ識別（以下、ownload_data_id）ごとに識別される。CDTの１つのセクションはsection_lengthフィールドで示される最大4kbyteの大きさであり、CDTは最大２５６個のセクションに分割して伝送可能である。
【００７９】
上記ロゴ管理情報logo_id、logo_type、logo_versionは、ロゴデータ分配記述子生成部１０３及びロゴ伝送記述子生成部１０４にも送られる。ロゴデータ分配記述子生成部１０３は、各ロゴデータについて、logo_typeと分配されるCDTセクションとの対応関係を示すロゴデータ分配記述子を生成してCDTセクション化部１０２に送り、CDTの記述子領域に配置する。また、ロゴ伝送記述子生成部１０４では、別途、ロゴ伝送種別（logo_transmission_type）でCDT伝送方式１を指定した場合には0x01を設定し、ロゴ識別（logo_id）やロゴバージョン番号（logo_version）のロゴデータ管理情報とともに、ダウンロードデータ識別（download_data_id）を付与してロゴ伝送記述子を生成する。ここでのdownload_data_idはＣＤＴのdownload_data_idと同じ値を設定することで、ある放送チャンネル（service）に対応する、CDT伝送のロゴデータを特定することが可能になる。SDTセクション化部１０５では放送チャンネルを特定するservice_idごとにロゴ伝送記述子をSDTの記述子領域に配置して多重化部１０６に伝送し、CDTのセクションデータと共にＴＳ多重する。
【００８０】
さて、ロゴデータモジュールに格納されるlogo_typeごとのデータの大きさが１セクションの大きさ4kbyte以内に収まる場合には、セクション１個を使って伝送することができる。しかしなから、例えば4K，8K放送のように、画素数が大きなロゴデータを伝送する場合には、4kbyteを超える可能性がある。また、超高精細度デジタル放送では、地上デジタル放送で使用していたlogo_typeのうち、画素数が小さいものは使用せず、ある程度大きなタイプのロゴだけを選択して、任意の順番で伝送したい場合も考えられる。これらの理由から、地上デジタル放送の運用規定で決められていた「各サイズのロゴをそのまま「logo_type」値と一致したsection_numberのセクションで伝送する。」というルールを使用することができない。そこで、本実施形態では、こうした場合にもCDTで伝送可能なようにロゴデータ分配記述子を定義する。このロゴデータ分配記述子のデータ構造は、例えば図１３に示すようになる。
【００８１】
logo_typeで識別されるロゴデータモジュールは、連続するセクション番号を持つCDTセクションに分割して伝送するものとして、その最初のセクション番号をstart_section_numberフィールドに記載し、そのロゴデータモジュールを伝送するセクション分割数をnumbers_of_sectionsフィールドに記載する。例えば、２種類のlogo_typeのロゴデータを伝送することとし、logo_type=0x05の1000byteのロゴデータをセクション番号0で、10000byteのロゴデータのlogo_typeを仮に0x06として、4000byte，4000byte，2000byteの計３セクションに分割してセクション番号１から順に伝送する。この場合は、  
logo_type=0x05、start_section_number=0x00、numbers_of_sections=0x01  
logo_type=0x06、start_section_number=0x01、numbers_of_sections=0x03  
と記載すればよい。そして、このロゴデータ分配記述子はCDTの記述子領域に配置して伝送する。これら一連のロゴデータの送出系統は図１に示した通りである。
【００８２】
これに対して、対応する放送受信装置では、所望の放送チャンネル（service）のロゴデータについて、SDTの記述子領域にロゴ伝送記述子が配置されていることを検知すれば、当該serviceのCDTが伝送されていると判断し、指定のdownload_data_idを参照して、まずは任意の当該CDTセクションを取得する。このように、取得したCDTセクションに記載されたロゴデータ分配記述子を解析することで、どのlogo_typeのロゴデータがどのセクション番号のセクション（群）で伝送されているが把握することができる。そして、次に必要なlogo_typeのセクション番号をフィルタリングするように設定することで、当該ロゴデータを効率的に取得することが可能になる。
【００８３】
次に、上記放送受信装置の構成について説明する。図１４は、第２の実施形態に係る放送受信装置１aの構成を示すブロック図である。図１４に示すように、放送受信装置１aは、伝送路復号部２０１、モジュールI／F部２０２、セクション処理部２０３、TS処理部２０４、映像復号部２０５、音声復号部２０６、OSD処理部２０７（OSD：On-Screen Display）、通信I／F部２０８、操作部２０９、NVRAM２１０（NVRAM：Non-Volatile RAM）、ROM２１１（ROM：Read Only Memory）、RAM２１２（RAM：Random Access Memory）、CPU２１３（CPU：Central Processing Unit）、デスクランブラ２１４、記憶部２１５を備え、各部はバス２１６により接続される構成である。
【００８４】
伝送路復号部２０１は、受信アンテナ（図示しない）より受信された放送信号を復調処理や誤り訂正復号処理し、トランスポートストリームTSを得る。TS処理部２０４は、トランスポートストリームTSとしてパケット多重化された情報を分離して、映像信号や音声信号などを抽出する処理を行う。また、セクション処理部２０３は、TS処理部２０４と連携してトランスポートストリームTSから多重分離されたPSI（Program Specific Information）やSI（Service Information）、さらにはCDTなどのセクション形式の関連情報の抽出処理を実施する。例えば、フィルタリング条件を設定することで、一般に複数のセクションから構成されるEITやCDTなどから特定のセクション番号のセクションだけを抽出することも可能である。
【００８５】
映像復号部２０５は、TS処理部２０４から出力された映像信号を復号し、復号した映像信号をOSD処理部２０７へ出力する。音声処理部２０６は、図１に示した音声選択制御部１３、デコーダ１４、DMIX部１５、切替部１６、DAC１７、音声出力部１８、外部出力インターフェース１９、GUI表示部１Bがこれに該当し、TS処理部２０４から出力された音声信号（音声ストリーム）を復号し、復号した音声信号を受信装置内部の音声出力部１８に出力するか、外部のAVアンプ２へ出力する。AVアンプ２は、アンプやスピーカなどを備えた音響機器であり、音声処理部２０６より出力された音声信号に応じた音声再生を行う。OSD処理部２０７は、CPU２１３の制御のもと、映像復号部２０５より出力された映像信号に所定のOSD処理、例えば音声処理部２０６からのGUI表示処理を施し、表示装置３へ出力する。表示装置３は、LCD（Liquid Crystal Display）等であり、出力された映像信号に基づいた画面表示を行う。例えば、表示装置３は、多重化されたトランスポートストリームTS1から分離されたSIに含まれる放送チャンネル情報記載のSDTや番組情報記載のEITをもとに、EPG等の画面表示を行う。
【００８６】
通信I／F部２０８は、CPU２１３の制御のもと、所定の通信プロトコルによる通信ネットワーク４とのデータ通信を行うインターフェースである。操作部２０９は、操作キーやリモートコントローラなどであり、ユーザの操作入力を受け付ける。また、操作部２０９は、図１に示した操作入力部１Cの機能を併せ持つ。NVRAM２１０は、各種設定情報を記憶する。例えば、NVRAM２１０には、放送受信装置２が取り扱い可能なコンテンツのフォーマットなどが設定情報として記憶される。
【００８７】
ROM２１１は、CPU２１３が実行するプログラムなどを記憶する。RAM２１２は、CPU２１３がプログラムを実行する際の作業領域を提供する。また、RAM２１２は、多重化されたトランスポートストリームTS1から分離されたSIに含まれるEIT情報を一時記憶する領域なども提供する。CPU２１３は、ROM２１１に記憶されたプログラムをRAM２１２の作業領域に展開して順次実行することで、放送受信装置１aの動作を中央制御する。
【００８８】
モジュールI／F部２０２は、限定受信などにかかる暗号鍵情報が格納されたセキュリティモジュール２２０と接続するインターフェースである。
【００８９】
デスクランブラ２１４は、セキュリティモジュール２２０に記憶された暗号鍵情報をもとに、受信したトランスポートストリームTS1においてスクランブルされているペイロード部をデスクランブルする。このデスクランブラ２１４によるデスクランブルにより、放送受信装置２では、EMMやECMを用いた限定受信に対応する。記憶部２１５は、HDD等の大容量記憶媒体であり、例えば受信したコンテンツなどを記憶する。
【００９０】
次に、CPU２１３の制御の下で実行される放送用受信装置のロゴデータに関する処理動作について、図１５に示すフローチャートに沿って説明する。
【００９１】
まず、放送信号を受信すると（ステップＳ２１）、放送信号を復調してSDTを取得する（ステップＳ２２）。ここで、所望の放送チャンネル（service）のロゴデータについて、取得したSDTからロゴ伝送記述子の有無を繰り返し判断し（ステップＳ２３）、SDTにロゴ伝送記述子の記述がある場合には（ＹＥＳ）、そのロゴ伝送記述子からさらに未受信のロゴが有るか判断する（ステップＳ２４）。ステップＳ２４の判断結果に基づいて、指定serviceのいずれかのsection_numberのCDTセクションを取得し（ステップＳ２５）、取得したCDTセクションからロゴデータ分配記述子を取り出して解析する（ステップＳ２６）。その解析結果に基づいて、指定serviceの所望のlogo_type用のsection_numberのCDTセクションを取得し（ステップＳ２７）、取得したCDTセクションよりロゴデータを取得して（ステップＳ２８）、一連の処理を終了する。
【００９２】
すなわち、上記処理手順によれば、どのlogo_typeのロゴデータがどのセクション番号のセクション（群）で伝送されているが把握することができるので、次に必要なlogo_typeのセクション番号をフィルタリングするように設定することで、当該ロゴデータを効率よく取得することができる。
【００９３】
以上のように、第１の実施形態では、セクション形式のロゴデータ伝送において、伝送するロゴデータについてロゴのタイプと伝送するセクションとの対応関係を示すロゴデータ分配記述子を指定して送出するようにしているので、ロゴデータのサイズに依存せず、必要なタイプのロゴデータを必要な数だけ選択して、任意の順序で効率的に伝送することが可能になる。
【００９４】
なお、この実施形態では、現行の地上放送等で採用されているMPEG-2 TSに基づくCDTを使って説明したが、今後の高度BSで採用が想定されるTLV（Type Length Value）/MMT（MPEG Media Transport）に基づくMH-CDTに適用してもよい。ただし、TLV（Type Length Value）/MMT（MPEG Media Transport）の場合には、MPEG-2 TSと比較して、ブロックや処理に対して以下のような違いがある。なお、MH-については、ARIB STD-B60の「参考１  本標準規格に記載の制御情報の構成」に「なお、ARIB STD-B10 に規定されるテーブル、記述子で、同機能を持ちながらMMT を用いる放送システムで用いるようテーブル識別子や記述子タグ値などを修正したものは、名称の先頭にMPEG-H を意味する「MH-」を付加することで、元のテーブル、記述子と区別している。」と説明されている。
【００９５】
TLV/MMTのMH-CDTセクションはMPEG-2 TSのCDTセクションに相当し、TLV/MMTのMH-SDTセクションはMPEG-2 TSのSDTセクションに相当し、TLV/MMTのMH-ロゴ伝送記述子はMPEG-2 TSのロゴ伝送記述子に相当する。
【００９６】
上記MH-CDTのデータ構造についてはARIB STD-B60の7.3.3.10に記載がある。この場合には、例えば、図１１のロゴデータ分配記述子のタグフィールド（descriptor_tag）のビット数を16ビットにしてもその本質をなんら変更するものではない。
【００９７】
（第３の実施形態）
以下、第３の実施形態として、上記TLV/MMTの場合の放送用送信装置について説明する。図１６はその構成を示すもので、ロゴデータとこのロゴデータのロゴを管理するためのロゴ管理情報を入力し、それぞれロゴデータモジュール化部２１、MH-CDTセクション化部２２、MH-ロゴ伝送記述子生成部２３、MH-SDTセクション化部２４を経て、MMT多重化部２５で映像信号や音声信号などと共に多重して、誤り訂正符号化や変調などの伝送路符号化（図示せず）を施した上で放送信号としてサービスエリアに向けて送信する。
【００９８】
具体的には、被伝送ロゴデータは、ロゴ管理情報であるlogo_id、logo_type、logo_versionと共にロゴデータモジュール化部２１に送られる。このロゴデータモジュール化部２１は、入力ロゴデータをlogo_id、logo_typeごとにロゴデータモジュールと呼ばれる領域に格納する。上記ロゴデータモジュール化部２１でロゴデータモジュールはMH-CDTセクション化部２２に送られる。このMH-CDTセクション化部２２は、ロゴデータモジュールをMH-CDTの複数のセクションに分配してMMT多重化部２５に伝送する。ここで、MH-CDTについてはdownload_data_idごとに識別される。MH-CDTセクション化部２２のロゴデータ分配情報はMH-ロゴ伝送記述子生成部２３に送られる。
【００９９】
上記ロゴ管理情報logo_id、logo_type、logo_versionは、MH-ロゴ伝送記述子生成部２３にも送られる。このMH-ロゴ伝送記述子生成部２３では、別途、ロゴ伝送種別（logo_transmission_type）でCDT伝送方式１を指定した場合には0x01を設定し、ロゴ識別（logo_id）やロゴバージョン番号（logo_version）のロゴデータ管理情報とともに、ダウンロードデータ識別（download_data_id）を付与してロゴ伝送記述子を生成する。ここでのdownload_data_idはMH-CDTのdownload_data_idと同じ値を設定することで、ある放送チャンネル（service）に対応する、MH-CDT伝送のロゴデータを特定することが可能になる。ここで、MH-ロゴ伝送記述子生成部２３では、MH-CDTセクション化部２２からのロゴデータ分配情報を受け取り、MH-ロゴ伝送記述子において、ロゴデータ分配情報の内容を拡張する。
【０１００】
MH-SDTセクション化部２４では、放送チャンネルを特定するservice_idごとにMH-ロゴ伝送記述子をMH-SDTの記述子領域に配置してMMT多重化部２５に伝送し、MH-CDTのセクションデータと共に多重する。
【０１０１】
図１０に示した第２の実施形態の構成との本質的な違いは、ロゴデータ分配情報を記述子として新規定義してMH-CDT内の記述子領域に記載する代わりに、MH-SDT記載のMH-ロゴ伝送記述子を拡張して記載することにある。この拡張の様子を図１７に示す。
【０１０２】
この構成によれば、MH-SDTに記載することで、MH-CDT取得前にロゴデータ分配情報が取得できるため、受信機側では、まずMH-CDTのセクションをどれか１つ取得してロゴデータ分配記述子を確認するという図１５で言えばＳ２５のステップが不要となり、必要なlogo_typeのロゴデータをより効率的に取得することが可能になる。
【０１０３】
なお、本実施形態の処理については、第２の実施形態のMPEG-2 TS方式の場合にも適用可能である。
【０１０４】
（第４の実施形態）
第４の実施形態は、第３の実施形態と同様の送出装置により実現できる。ただし、ロゴデータ分配情報をMH-ロゴ伝送記述子に挿入しない。ロゴデータ分配情報をあらかじめ運用規定により固定的に決めておく、あるいは、MH-CDTのdata_module_byteに追加挿入を行う。
【０１０５】
高度広帯域衛星デジタル放送では、３種類のサイズパターンに対するlogo_typeが定義されている。一つは「2K」で、地上デジタル放送で定義されている「HDラージ」と同じものである。あとの二つは、4K画面への表示を想定した「スモール」と8K画面への表示を想定した「ラージ」であり、「2K」と比較して、縦・横のドット数がそれぞれ２倍、４倍となっている。また、「スモール」，「ラージ」のロゴでは、同時に使用する色数は制限されるものの、ＲＧＢ各8ビットフルカラーの色を使用できるようにするため、カラーパレットも伝送することになっている。このため、ロゴデータサイズの上限が大きくなっている。
【０１０６】
「2K」ロゴはサイズの上限が地上デジタル放送の「HDラージ」のときと同じ1152バイトであり、１つのMH-CDTで送ることが可能だが、「スモール」は8000byte，「ラージ」は16000byteが上限と想定されており、１つのMH-CDTでは送ることができない。このため、ロゴデータを複数のMH-CDTで伝送するための規定が新たに必要となる。以下、第４の実施形態として、ロゴデータを複数のMH-CDTで伝送するための手法を説明する。
【０１０７】
図１８に第４の実施形態に係る処理の流れを示す。図１８において、ロゴデータの入力を待機し（ステップＳ３１）、ロゴデータの入力があった場合には、logo_typeが2K，ラージ，スモールのいずれを示しているかを判断し、logo_type毎にロゴデータを分配するsection_numberの値を設定する（ステップＳ３２）。続いて、MH-CDTの最大容量を考慮して、ロゴデータを分割してMH-CDTセクションのdata_module_byteに配置情報と共に設定し（ステップＳ３３）、一連の処理を終了する。
【０１０８】
すなわち、本実施形態では、data_module_byteの定義の変更など運用規定だけの変更により、1セクションに収まらない大きなサイズのサービスロゴをMH-CDTで伝送するものである。したがって、MH-CDTではない新たなデータ構造とする、あるいは、MH-CDTに挿入する新たな記述子を記述する、MH-ロゴ伝送記述子の定義を変更するといった目的で、ARIB標準規格に追加や変更を行う必要がない。
【０１０９】
以下、本実施形態の具体的な処理について、実施例１〜５を説明する。
【０１１０】
［実施例１］
図１０に示すロゴデータモジュール化部１０１において、地上デジタル放送のdata_module_byteのシンタックスに対して、該当logo_typeのロゴのバイト数、つまり、各セクションに分割して入れられたデータの合計サイズとして、「total_logo_size」というフィールドを追加する。その例を図１９に示す。また、地上デジタル放送で「各サイズのロゴをそのlogo_type 値と一致したsection_number のセクションで伝送する。」と規定されていた代わりに、logo_type毎に使用するsection_number値を固定して使用するように運用規定にて規定を行う。ここでは仮に  
2K        0  
ラージ    1〜4  
スモール  5〜6  
とする。また、4000byte毎にロゴデータを分割して、data_byteに格納することにする。このように決めることで、各logo_typeのロゴを受信するために取得するセクションのsection_numberの範囲が受信したMH-CDT内の情報を利用することなく事前に分かるようになる。例えばスモールのロゴだけ欲しい場合には、section_numberが0から6のセクションを全て取得した上で、data_module_byte中のlogo_typeを判断してsection_numberが5と6のセクションが該当すると判断するのではなく、section_numberが5と6のセクションだけを取得すればよいようになる。
【０１１１】
また、total_logo_sizeを追加して分割サイズを決めたことにより、logo_typeで決められたsection_numberのセクションを全て受信しなくてもよいことが判断できるようになる。例えば、ラージのロゴでtotal_logo_sizeが10000 byteであれば、section_number が1から4のセクションのdata_sizeがそれぞれ順番に、4000byte，4000byte，2000byte，0byteであると分かり、section_number=4のセクションを取得不要だと分かる。また同様に、section_number=5のセクションを取得してtotal_logo_sizeが4000byte以下であれば、section_number=6のセクションを取得不要だと分かる。
【０１１２】
ここでは、例としてロゴタイプの値の順番にsection_numberの値を割り当てたが、この順番でなくてもよい。
【０１１３】
また、ここでは、例として分割サイズを4000byteとしたが、別の値でもよい。例えば分割サイズを4070byteとして、total_logo_sizeが10000byteのロゴを4070 byte，4070 byte，1860 byte，0 byteと分割してもよい。
【０１１４】
また、ここでは例としてtotal_logo_sizeをdata_module_byteに追加して分割サイズを決めるようにしたが、分割サイズは決めずに、data_module_byteに続きがあるかどうかの情報を追加してもよいし、分割サイズも決めたうえで続きがあるかどうかなど他の情報を更に追加してもよい。
【０１１５】
［実施例２］
ストリームの中でセクションはどの順番に送られているかわからず、また、１つのセクションが取得できてから次のセクションを取得するためのセクションフィルタの設定をし直している間に、未取得のセクションを取り損なうことがあり、１つのセクションが取得できてから次のセクションを取得するようにしていると、所望のセクションを全て取得するまでの時間が長くなってしまうことが考えられる。また、同時にセクションフィルタの設定を行うことで、取得時間の短縮を図ることができるが、セクションフィルタのリソースを多く消費してしまう。
【０１１６】
これを回避する手段として、セクションフィルタの条件にマスク指定することが考えられる。
【０１１７】
一部のビットについては0，1どちらの値であっても、セクションを取得する機能である。section_numberのマスク指定について、0として指定するビットを0，1として指定するビットを1、0でも1でもよいビットをxで表すこととする。
【０１１８】
ラージのロゴは最大4セクション、スモールのロゴは最大2セクションであり、ラージのロゴでは2ビット、スモールのロゴでは1ビットでマスクすると効率がよい。そこで、ラージのロゴのsection_numberのマスク指定を000001xx（00000100，00000101，00000110，00000111）、スモールのロゴのsection_numberのマスク指定を0000001x（00000010，00000011）とする。このようにすると、使用するsection_number値は  
スモール    2〜3  
ラージ      4〜7  
となる。加えて  
2K          0  
とする場合、section_number=1のセクションは不要となる。
【０１１９】
通常、section_numberは0からlast_section_numberまで抜けなく配置されるが、EIT[schedule]（およびMH-EIT[schedule]）では、例外として途中のセクションが抜けることのある運用となっている。そこで、MH-CDTについてもsection_number=1のセクションを送らないという例外運用を行うように規定すれば、section_numberが0と2〜7の7つのセクションで、各logo_typeのロゴデータを伝送することができる。
【０１２０】
ここでは、例としてsection_number=1が不要としたが、section_number=0を不要セクションとしてsection_numberが1〜7の7つのセクションで、各logo_typeのロゴデータを伝送してもよい。
【０１２１】
［実施例３］
実施例２と同様のマスク指定をする場合に、無効なデータであることを示すことができれば、途中のセクションを送らないような例外運用を行わなくても、実現することができる。
【０１２２】
例えば、logo_typeとして今後も0xFFの値を使わないことに決めて、data_module_byteのlogo_typeの値が0xFFだった場合には無効データであると判断するという規定を行うことで実現可能となる。必要なsection_numberのセクションのみを取得する受信機の場合には、このセクションは取得しないので、処理に影響はない。セクションフィルタのマスク機能で全てのsection_numberのセクションを取得する受信機の場合には、無効データであると判断して破棄するようにすればよい。
【０１２３】
［実施例４］
あるいは、実施例２と同様のマスク指定をする場合に、１つのセクションについてはロゴデータ自体を送るものではなく、別の情報を伝送するために使用することも可能である。
【０１２４】
2Kのロゴはsection_number=1で伝送することにして、section_number=0では別の情報を伝送することにして、section_number=0は特殊データ、section_number 1〜7はロゴデータを伝送するために使うことができる。
【０１２５】
例えば、section_number=0の場合のdata_module_byteを図２０に示すようにして、各セクション番号でどのlogo_typeのロゴデータを送っているのか、つまりロゴデータ分配情報を示すことが可能である。図２０の例では、logo_typeの数であるnumber_of_logo_typeだけループをまわして、各logo_typeで使用するsection_number（start_section_number + j）ごとのロゴデータのバイト数を指定できるようにしている。
【０１２６】
［実施例５］
図２０に示すようなdata_module_byteをsection_number=0で伝送するようにしておくと、運用規定で各logo_typeで使用するsection_numberの範囲を固定していない場合でも、section_number=0を取得後に所望のlogo_typeのsection_numberのセクションを取得するという二段階を踏めば、所望のlogo_typeのサービスロゴを取得することが可能となる。二段階踏むことで所望のロゴを取得するための時間は長くなる可能性があるものの、将来新たにlogo_typeが追加された場合にも対応が可能となる。
【０１２７】
section_numberの範囲を運用規定で固定しない場合について、logo_typeで使用するセクション数は最大に固定してもよいし、ロゴデータのサイズによって可変にしてもよい。
【０１２８】
以上のように、第４の実施形態では、data_module_byteの定義やsection_numberの割り当てルールを変更することで、MH-CDTではない新たなデータ構造、あるいは、MH-CDTに挿入する新たな記述子をARIB標準規格で追加定義したり、ARIB標準規格のMH-ロゴ伝送記述子の定義を変更したりすることなく、1セクションに収まらない大きなサイズのサービスロゴをMH-CDTで伝送することが可能となる。
【０１２９】
また、実施例１〜４では、地上デジタル放送と同様に、所望のlogo_typeのsection_numberのセクションだけを取得することが可能である。また、実施例２〜４では、section_numberをマスクしてセクションフィルタを設定することにより、ラージのロゴ，スモールのロゴの取得を、効率よく行うことが可能である。また、実施例５では、将来新たにlogo_typeが追加された場合にも対応が可能である。
【０１３０】
なお、実施形態において、CDT、MH-CDTを共通データテーブル情報と総称し、SDT、MH-SDTをサービス記述テーブル情報と総称し、ロゴ伝送記述子、MH-ロゴ伝送記述子をロゴ伝送記述子と総称するものとする。
【０１３１】
上記第２乃至第４の実施形態によれば、ロゴデータを高精細で伝送することが可能となるため、例えば、MPT情報から読み取った音声モードを利用して、ロゴに次の放送番組の選択音声モードを表示する、選択可能な音声モードがあることを表示するといった、音声モードの変更に伴うロゴの表示変更が可能となる。
【０１３２】
以上述べた上記実施形態により、以下の要件を備える放送システム、放送送信装置、放送受信装置、放送送信方法及び放送受信方法を提供する。
【０１３３】
(1) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムであって、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統と、前記放送信号を受信して前記サービス記述テーブル情報を取得し、取得されたサービス記述テーブル情報のロゴ伝送記述子から前記ロゴ伝送記述情報を抽出して前記ロゴ管理情報を取得し、取得されたロゴ管理情報に基づいて前記放送信号の共通データテーブル情報のロゴデータ分配記述子から前記ロゴデータ分配情報を取得し、取得されたロゴデータ分配情報で指定される複数のセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する受信系統とを備える放送システムを提供する。
【０１３４】
(2)音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化するモジュール化部と、前記ロゴデータについて前記ロゴのタイプと分配されるセクションとの対応関係を示すロゴデータ分配情報を生成するロゴデータ分配情報生成部と、前記モジュール化部でモジュール化されたロゴデータを前記共通データテーブル情報の複数のセクションに分配すると共に、前記ロゴデータ分配情報を前記共通データテーブル情報のロゴデータ分配記述子に挿入する第１のセクション化部と、前記ロゴデータのロゴ識別及びロゴのタイプを含むロゴ管理情報からロゴ伝送記述情報を生成してサービス記述テーブル情報のロゴ伝送記述子に挿入する第２のセクション化部と、前記第１のセクション化部、前記第２のセクション化部で生成された共通データテーブル情報及びサービス記述テーブル情報を前記第１の音声信号または前記第２の音声信号が含まれる放送信号に多重して送出する多重化部とを具備する放送送信装置を提供する。
【０１３５】
(3) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配識別子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、前記放送信号を受信する受信部と、前記受信部で受信された放送信号から前記サービス記述テーブル情報を取得し、取得されたサービス記述テーブル情報のロゴ伝送識別子から前記ロゴ伝送記述情報を抽出して前記ロゴ管理情報を取得し、取得されたロゴ管理情報に基づいて前記放送信号の共通データテーブル情報のロゴデータ分配識別子から前記ロゴデータ分配情報を取得し、取得されたロゴデータ分配情報で指定される複数のセクションから前記モジュールに格納されるロゴ識別、ロゴのタイプごとのロゴデータを取得するロゴデータ取得部と、前記受信部で受信された放送信号から前記第１の音声信号または前記第２の音声信号を取得して前記第１の伝送クロック周波数、前記第２の伝送クロック周波数のいずれかで出力する音声信号出力部とを備える放送受信装置を提供する。
【０１３６】
(4) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、送信系統が、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重してを送出し、受信系統が、前記放送信号を受信して前記サービス記述テーブル情報を取得し、取得されたサービス記述テーブル情報のロゴ伝送記述子から前記ロゴ伝送記述情報を抽出して前記ロゴ管理情報を取得し、取得されたロゴ管理情報に基づいて前記放送信号の共通データテーブル情報のロゴデータ分配記述子から前記ロゴデータ分配情報を取得し、取得されたロゴデータ分配情報で指定される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送送受信方法を提供する。
【０１３７】
(5) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記ロゴデータについて前記ロゴのタイプと分配されるセクションとの対応関係を示すロゴデータ分配情報を生成し、前記モジュール化されたロゴデータを前記共通データテーブル情報の複数のセクションに分配すると共に、前記ロゴデータ分配情報を前記共通データテーブル情報のロゴデータ分配記述子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及びサービス記述テーブル情報を前記第１の音声信号または前記第２の音声信号が含まれる放送信号に多重して送出する放送送信方法を提供する。
【０１３８】
(6) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を定義して前記共通データテーブル情報のロゴデータ分配識別子に挿入し、前記ロゴデータのロゴ識別及びロゴのタイプを含むロゴ管理情報からロゴ伝送記述情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重し、前記多重された放送信号を送出する送信系統に対応し、前記放送信号を受信し、前記受信された放送信号から前記サービス記述テーブル情報を取得し、取得されたサービス記述テーブル情報のロゴ伝送識別子から前記ロゴ伝送記述情報を抽出して前記ロゴ管理情報を取得し、取得されたロゴ管理情報に基づいて前記放送信号の共通データテーブル情報のロゴデータ分配識別子から前記ロゴデータ分配情報を取得し、取得されたロゴデータ分配情報で指定される複数のセクションから前記モジュールに格納されるロゴ識別、ロゴのタイプごとのロゴデータを取得し、前記受信された放送信号から前記第１の音声信号または前記第２の音声信号を取得して前記第１の伝送クロック周波数、前記第２の伝送クロック周波数のいずれかで出力する放送受信方法を提供する。
【０１３９】
(7) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータを多重伝送可能な放送システムであって、前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統と、前記放送信号を受信して前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する受信系統とを備える放送システムを提供する。
【０１４０】
(8) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化するモジュール化部と、前記モジュール化部でモジュール化されたロゴデータを前記共通データテーブル情報の複数のセクションに分配する第１のセクション化部と、前記ロゴデータについて前記ロゴのタイプと分配されるセクションとの対応関係を示すロゴデータ分配情報を生成し、前記ロゴデータのロゴ識別及びロゴのタイプを含むロゴ管理情報と、前記ロゴデータ分配情報をサービス記述テーブル情報のロゴ伝送記述子に挿入する第２のセクション化部と、前記第１のセクション化部、前記第２のセクション化部で生成された共通データテーブル情報及びサービス記述テーブル情報を前記第１の音声信号または前記第２の音声信号が含まれる放送信号に多重し送出する多重化部とを具備する放送送信装置を提供する。
【０１４１】
(9) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、前記放送信号を受信する受信部と、前記受信部で受信された放送信号から前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得するロゴデータ取得部と、前記受信部で受信された放送信号から前記第１の音声信号または前記第２の音声信号を取得して前記第１の伝送クロック周波数、前記第２の伝送クロック周波数のいずれかで出力する音声信号出力部とを備える放送受信装置を提供する。
【０１４２】
(10) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、送信系統が、前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出し、受信系統が、前記放送信号を受信して前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送送受信方法を提供する。
【０１４３】
(11) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータについて前記ロゴのタイプと分配されるセクションとの対応関係を示すロゴデータ分配情報を生成し、前記ロゴデータのロゴ識別及びロゴのタイプを含むロゴ管理情報と、前記ロゴデータ分配情報をサービス記述テーブル情報のロゴ伝送記述子に挿入し、前記共通データテーブル情報及びサービス記述テーブル情報を前記第１の音声信号または前記第２の音声信号が含まれる放送信号に多重し送出する放送送信方法を提供する。
【０１４４】
(12) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、共通データテーブル情報の１セクションを超える大きさで、１つのロゴ識別につきタイプの異なる任意個数のロゴデータを多重伝送可能な放送システムに用いられ、前記ロゴデータを前記ロゴ識別、ロゴのタイプごとにモジュール化し、前記モジュール化されたロゴデータを前記共通データテーブル情報の複数のセクションに分配し、前記ロゴデータのロゴ識別及びロゴのタイプを含むロゴ管理情報と、前記ロゴデータについて前記ロゴのタイプと分配されるセクションとの対応関係を示すロゴデータ分配情報を生成してサービス記述テーブル情報のロゴ伝送記述子に挿入し、前記共通データテーブル情報及び前記サービス記述テーブル情報を前記第１の音声信号または前記第２の音声信号が含まれる放送信号に多重して送出する送信系統に対応し、前記放送信号を受信し、前記受信された放送信号から前記サービス記述テーブル情報を取得し、取得されたサービス記述テーブル情報から前記ロゴ伝送記述子を抽出して前記ロゴ管理情報とロゴデータ分配情報を取得し、取得されたロゴ管理情報とロゴデータ分配情報に基づいて前記放送信号の共通データテーブル情報に分配される複数のセクションから前記モジュールに格納されるロゴ識別、ロゴのタイプごとのロゴデータを取得し表示すると共に、前記受信された放送信号から前記第１の音声信号または前記第２の音声信号を取得して前記第１の伝送クロック周波数、前記第２の伝送クロック周波数のいずれかで出力する放送受信方法を提供する。
【０１４５】
(13) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムであって、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重して送出する送信系統と、前記放送信号を受信して前記MH-CDTを取得し、取得されたMH-CDTのセクションから前記ロゴデータを取得し連結して表示すると共に、前記受信された放送信号から前記第１の音声信号または前記第２の音声信号を取得して前記第１の伝送クロック周波数、前記第２の伝送クロック周波数のいずれかで出力する受信系統とを備える放送システムを提供する。
【０１４６】
(14) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定するロゴデータ処理部を備え、前記ロゴデータ処理部で設定されたMH-CDTをと共に放送信号に多重して送出する放送送信装置を提供する。
【０１４７】
(15) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重し、多重された放送信号を送出する送信系統に対応し、前記放送信号を受信する受信部と、前記受信された放送信号から前記MH-CDTを取得する第１の取得部と、前記第１の取得部で取得されたMH-CDTのセクションから前記ロゴデータを取得し連結して表示するロゴデータ取得部と、前記受信部で受信された放送信号から前記第１の音声信号または前記第２の音声信号を取得して前記第１の伝送クロック周波数、前記第２の伝送クロック周波数のいずれかで出力する音声信号出力部とを備える放送受信装置を提供する。
【０１４８】
(16) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、送信系統が、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号を含む放送信号に多重し、多重された放送信号を送出し、受信系統が、前記放送信号を受信して前記MH-CDTを取得し、取得されたMH-CDTのセクションから前記ロゴデータを取得し連結し表示すると共に、前記受信された放送信号から前記第１の音声信号または前記第２の音声信号を取得して前記第１の伝送クロック周波数、前記第２の伝送クロック周波数のいずれかで出力する放送送受信方法を提供する。
【０１４９】
(17) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、前記設定されたMH-CDTを前記第１の音声信号または前記第２の音声信号が含まれる放送信号に多重し、多重された放送信号を送出する放送送信方法を提供する。
【０１５０】
(18) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-common_data_table）の１セクションを超える大きさで、１つのロゴ識別につきタイプの異なる任意個数のロゴデータと共に多重伝送される放送システムに用いられ、前記ロゴデータについて、ロゴのタイプがいずれを示しているかを判断し、ロゴのタイプ毎に決められた前記ロゴデータを分配するMH-CDTセクションのセクション番号の値を設定し、前記MH-CDTに対して設定された番号のセクションに前記ロゴデータを分配配置して前記MH-CDTセクションのデータモジュール領域に分割前のロゴのデータサイズと共に設定し、設定されたMH-CDTを前記第１の音声信号または前記第２の音声信号が含まれる放送信号に多重し、多重された放送信号を送出する送信系統に対応し、前記放送信号を受信し、前記受信された放送信号から前記MH-CDTを取得し、前記取得されたMH-CDTのセクションから前記ロゴデータを取得し連結して表示すると共に、前記受信された放送信号から前記第１の音声信号または前記第２の音声信号を取得して前記第１の伝送クロック周波数、前記第２の伝送クロック周波数のいずれかで出力する放送受信方法を提供する。
【０１５１】
(19) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムであって、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重し、前記多重された放送信号を送出する送信系統と、前記放送信号を受信して前記MH-SDTを取得し、取得されたMH-SDTから前記ロゴ伝送記述子を抽出して前記ロゴ管理情報を取得し、取得されたロゴ管理情報によりロゴデータ分配情報を含むMH-CDTセクションを取得し、ロゴデータ分配情報に基づいて前記放送信号のMH-CDTに分配される複数のCDTセクションから前記モジュールに格納されるロゴ識別、ロゴのタイプごとのロゴデータを取得し、前記受信された放送信号から前記第１の音声信号または前記第２の音声信号を取得して前記第１の伝送クロック周波数、前記第２の伝送クロック周波数のいずれかで出力する音声信号出力部とを備える受信系統とを備える放送システムを提供する。
【０１５２】
(20) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化するモジュール化部と、前記モジュール化部でモジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに挿入するMH-CDTセクション化部と、前記ロゴデータのロゴ識別及びロゴのタイプを含むロゴ管理情報を示すMH-ロゴ伝送記述子を生成するMH-ロゴ伝送記述子生成部と、前記MH-ロゴ伝送記述子をMH-SDT（Service Description Table）の記述子領域に記述するMH-SDTセクション化部と、前記MH-CDTセクション化部、前記MH-SDTセクション化部で生成されたMH-CDT及びMH-SDTを前記第１の音声信号または前記第２の音声信号が含まれる放送信号に多重して送出する多重化部とを具備する放送送信装置を提供する。
【０１５３】
(21) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重し、前記多重された放送信号を送出する送信系統に対応し、前記放送信号を受信する受信部と、前記受信部で受信された放送信号から前記MH-SDTを取得し、取得されたMH-SDTから前記MH-ロゴ伝送記述子を抽出して前記ロゴ管理情報を取得し、取得されたロゴ管理情報に基づいて前記放送信号のロゴデータ分配情報を含むMH-CDTセクションを取得し、ロゴデータ分配情報により、所望のタイプのロゴが配置されたMH-CDTを取得し、MH-CDTに分配される複数のMH-CDTセクションから前記モジュールに格納されるロゴ識別、ロゴのタイプごとのロゴデータを取得し表示するロゴデータ取得部と、前記受信された放送信号から前記第１の音声信号または前記第２の音声信号を取得して前記第１の伝送クロック周波数、前記第２の伝送クロック周波数のいずれかで出力する音声出力部とを備える放送受信装置を提供する。
【０１５４】
(22) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、送信系統が、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重して送出し、受信系統が、前記放送信号を受信して前記MH-SDTを取得し、取得されたMH-SDTから前記ロゴ伝送記述子を抽出して前記ロゴ管理情報を取得し、取得されたロゴ管理情報によりロゴデータ分配情報を含むMH-CDTセクションを取得し、ロゴデータ分配情報に基づいて前記放送信号のMH-CDTに分配される複数のCDTセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する放送送受信方法を提供する。
【０１５５】
(23) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに挿入し、前記ロゴデータのロゴ識別及びロゴのタイプを含むロゴ管理情報を示すMH-ロゴ伝送記述子を生成し、前記MH-ロゴ伝送記述子をMH-SDT（Service Description Table）の記述子領域に記述し、前記MH-CDT及びMH-SDTを前記第１の音声信号または前記第２の音声信号が含まれる放送信号に多重し送出する放送送信方法を提供する。
【０１５６】
(24) 音声信号伝送の伝送クロック周波数として第１の伝送クロック周波数と第２の伝送クロック周波数があり、第１の音声信号が第１の伝送クロック周波数と第２の伝送クロック周波数の両方で伝送可能であり、第２の音声信号が第２の伝送クロック周波数のみで伝送が可能である場合に、前記第１の音声信号または前記第２の音声信号が、MH-CDT（MH-Common Data Table）の１セクションを超える大きさで、１つのロゴ識別につきタイプの異なる任意個数のロゴデータと共に多重伝送される放送システムに用いられ、前記ロゴデータを前記ロゴ識別、ロゴのタイプごとにモジュール化し、前記モジュール化されたロゴデータを前記MH-CDTの複数のMH-CDTセクションに分配し、前記ロゴのタイプと分配されるMH-CDTセクションとの対応関係を示すロゴデータ分配情報をロゴデータを分配したのとは異なるMH-CDTに記述し、前記ロゴデータのロゴ識別及びロゴのタイプを含むロゴ管理情報を示すMH-ロゴ伝送記述子をMH-SDT（Service Description Table）の記述子領域に記述し、前記MH-CDT及び前記MH-SDTを前記第１の音声信号または前記第２の音声信号が含まれる放送信号に多重して送出する送信系統に対応し、前記放送信号を受信し、前記受信された放送信号から前記MH-SDTを取得し、取得されたMH-SDTから前記MH-ロゴ伝送記述子を抽出して前記ロゴ管理情報を取得し、取得されたロゴ管理情報に基づいて前記放送信号のロゴデータ分配情報を含むMH-CDTセクションを取得し、ロゴデータ分配情報により、所望のタイプのロゴが配置されたMH-CDTを取得し、MH-CDTに分配される複数のMH-CDTセクションから前記モジュールに格納されるロゴ識別、ロゴのタイプごとのロゴデータを取得して表示すると共に、前記受信された放送信号から前記第１の音声信号または前記第２の音声信号を取得して前記第１の伝送クロック周波数、前記第２の伝送クロック周波数のいずれかで出力する放送受信方法を提供する。
【０１５７】
(25) (3), (9), (15), (21)のいずれかにおいて、さらに、外部接続のオーディオ機器を、前記第１の伝送クロック周波数のみ対応する第１のモードと、前記第１の伝送クロック周波数と前記第２の伝送クロック周波数の両方に対応する第２のモードとに分類し、接続されるオーディオ機器が第１のモードで、前記受信された音声信号が第１の音声信号である場合には、前記第１の伝送クロック周波数によってその音声信号を出力し、接続されるオーディオ機器が第２のモードで、前記受信された音声信号が第１の音声信号の場合には、前記第２の伝送クロック周波数によってその音声信号を出力するよう、前記伝送クロック周波数を決定する制御部を備える放送受信装置を提供する。
【０１５８】
(26) (25)において、前記第１のモードは出力インターフェースの伝送クロック周波数が48kHzのみ利用可能とするモードであり、第２のモードは48kHz、96kHzの両方を利用可能とするモードである放送受信装置を提供する。
【０１５９】
(27) (25)において、さらに、前記第１のモードと前記第２のモードをユーザが選択するためのGUI（Graphical User Interface）処理部を備える放送受信装置を提供する。
【０１６０】
(28) (25)において、前記制御部は、前記オーディオ機器との接続にHDMI（High Definition Multimedia Interface）を用いるとき、前記HDMIで規定されるEDID（Extended Display Identificaiton Data）またはHDMI-CEC（High Definition Multimedia Interface - Consumer Electronics Control）の情報から、前記第１のモードを採用するか前記第２のモードを採用するかを自動的に判断し切り替える放送受信装置を提供する。
【０１６１】
(29) (28)において、前記制御部は、前記HDMIのEDIDまたはHDMI-CECの情報から前記オーディオ機器がMPEG4-ALSを取り扱い可能であることが検出された場合に、前記第２のモードを採用する放送受信装置を提供する。
【０１６２】
(30) (28)において、前記制御部は、前記HDMIのEDIDまたはHDMI-CECの情報から前記オーディオ機器がMPEG4-AAC 22.2chを取り扱い可能であることが検出された場合に、前記第２のモードを採用する放送受信装置を提供する。
【０１６３】
(31) (25)において、前記制御部は、前記放送から受信した音声信号が前記第１の伝送クロック周波数と前記第２の伝送クロック周波数のどちらの周波数でも伝送可能な第１の音声信号である場合に、前記第２のモードが選択されているとき、前記オーディオ機器に前記第２の伝送クロック周波数を用いて前記受信した第１の音声信号を出力するよう、前記伝送クロック周波数を決定し、前記第１の音声信号が放送された後に前記第２の伝送クロック周波数以外では伝送できない第２の音声信号が引き続き放送された場合に、前記第２のモードが選択されているとき、前記第１の音声信号に続いて前記第２の音声信号も前記第２の伝送クロック周波数で前記オーディオ機器に出力するよう、前記伝送クロック周波数を決定する放送受信装置を提供する。
【０１６４】
(32) (25)において、前記制御部は、前記放送から受信した音声信号が前記第２の伝送クロック周波数以外では伝送できない第２の音声信号であるとき、前記第１のモードが選択されている場合は、前記放送から受信した信号内の前記第１の伝送クロック周波数で伝送可能な別の音声信号を選択して前記第１の伝送クロック周波数で前記オーディオ機器に出力するように制御する放送受信装置を提供する。
【０１６５】
(33), (25)において、前記制御部は、前記第１の伝送クロック周波数のみが利用可能な第１のモード、前記第１及び第２の伝送クロック周波数が利用可能な第２のモードに加え、第１と第２と第３の伝送クロック周波数が利用可能な第３のモードを備えるとき、前記第１のモードと前記第２のモードとの関係を前記第１のモードと前記第３のモードとの関係、前記第２のモードと前記第３のモードとの関係に適用する放送受信装置を提供する。
【０１６６】
(34) (6), (12), (18), (24)のいずれかにおいて、外部接続のオーディオ機器を、前記第１の伝送クロック周波数のみ対応する第１のモードと、前記第１の伝送クロック周波数と前記第２の伝送クロック周波数の両方に対応する第２のモードとに分類し、接続されるオーディオ機器が第１のモードで、前記受信された音声信号が第１の音声信号である場合には、前記第１の伝送クロック周波数によってその音声信号を出力し、接続されるオーディオ機器が第２のモードで、前記受信された音声信号が第１の音声信号である場合に第２の伝送クロック周波数によってその音声信号を出力するよう、前記伝送クロック周波数を決定する放送受信方法を提供する。
【０１６７】
(35) (34)において、前記第１のモードは出力インターフェースの伝送クロック周波数が48kHzのみ利用可能とするモードであり、第２のモードは48kHz、96kHzの両方を利用可能とするモードである放送受信方法を提供する。
【０１６８】
(36) (34)において、さらに、前記第１のモードと前記第２のモードをユーザの指定操作入力によって選択する放送受信方法を提供する。
【０１６９】
(37) (34)において、前記オーディオ機器との接続にHDMI（High Definition Multimedia Interface）を用いるとき、前記HDMIで規定されるEDID（Extended Display Identificaiton Data）またはHDMI-CEC（High Definition Multimedia Interface - Consumer Elect ronics Control）の情報から、前記第１のモードを採用するか前記第２のモードを採用するかを自動的に判断し、適宜切り替える放送受信方法を提供する。
【０１７０】
(38) (37)において、前記HDMIのEDIDまたはHDMI-CECの情報から前記オーディオ機器がMPEG4-ALSを取り扱い可能であることが検出された場合に、前記第２のモードを採用する放送受信方法を提供する。
【０１７１】
(39) (37)において、前記HDMIのEDIDまたはHDMI-CECの情報から前記オーディオ機器がMPEG4-AAC 22.2chを取り扱い可能であることが検出された場合に、前記第２のモードを採用する放送受信方法を提供する。
【０１７２】
(40) (34)において、前記放送から受信した音声信号が前記第１の伝送クロック周波数と前記第２の伝送クロック周波数のどちらの周波数でも伝送可能な第１の音声信号である場合に、前記第２のモードが選択されているとき、前記オーディオ機器に前記第２の伝送クロック周波数を用いて前記受信した第１の音声信号を出力するよう、前記伝送クロック周波数を決定し、前記第１の音声信号が放送された後に前記第２の伝送クロック周波数以外では伝送できない第２の音声信号が引き続き放送された場合に、前記第２のモードが選択されているとき、前記第１の音声信号に続いて前記第２の音声ストリームも前記第２の伝送クロック周波数で前記オーディオ機器に出力よう、前記伝送クロック周波数を決定する放送受信方法を提供する。
【０１７３】
(41) (34)において、前記放送から受信した音声信号が前記第２の伝送クロック周波数以外では伝送できない第２の音声信号であるとき、前記第１のモードが選択されている場合は、前記放送から受信した信号内の前記第１の伝送クロック周波数で伝送可能な別の音声信号を選択して前記第１の伝送クロック周波数で前記オーディオ機器に出力するように制御する放送受信方法を提供する。
【０１７４】
(42) (34) 前記第１の伝送クロック周波数のみが利用可能な第１のモード、前記第１及び第２の伝送クロック周波数が利用可能な第２のモードに加え、第１と第２と第３の伝送クロック周波数が利用可能な第３のモードを備え、前記第１のモードと前記第２のモードとの関係を前記第１のモードと前記第３のモードとの関係、前記第２のモードと前記第３のモードとの関係に適用する放送受信方法を提供する。
【０１７５】
尚、上記(25)〜(42)は、それぞれ放送受信装置、放送受信方法に適用する場合について述べたが、その構成は放送システム、放送送信装置、放送送信方法に適用することも可能である。
【０１７６】
以上、本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１７７】
１，１a…放送受信装置、１１…復調部、１２…TLV/MMT分離部、１３…音声選択制御部、１４…デコーダ、１５…DMIX部、１６…切替部、１７…DAC、１８…音声出力部、１９…外部出力インターフェース、１A…映像処理部、１B…GUI表示部、１C…操作入力部、２…AVアンプ、３…表示装置。
【０１７８】
１０１…ロゴデータモジュール化部、１０２…CDTセクション化部、１０３…ロゴデータ分配記述子生成部、１０４…ロゴ伝送記述子生成部、１０５…SDTセクション化部、１０６…多重化部、２１…ロゴデータモジュール化部、２２…MH-CDTセクション化部、２３…MH-ロゴ伝送記述子生成部、２４…MH-SDTセクション化部、２５…MMT多重化部、２０１…伝送路復号部、２０２…モジュールI／F部、２０３…セクション処理部、２０４…ＴＳ処理部、２０５…映像復号部、２０６…音声処理部、２０７…OSD処理部、２０８…通信I／F部、２０９…操作部、２１０…NVRAM、２１１…ROM、２１２…RAM、２１３…CPU、２１４…デスクランブラ、２１５…記憶部、２１６…バス。
【図１】
2019013023.tif 000007
【図２】
2019013023.tif 000008
【図３】
2019013023.tif 000009
【図４】
2019013023.tif 000010
【図５】
2019013023.tif 000011
【図６】
2019013023.tif 000012
【図７】
2019013023.tif 000013
【図８】
2019013023.tif 000014
【図９】
2019013023.tif 000015
【図１０】
2019013023.tif 000016
【図１１】
2019013023.tif 000017
【図１２】
2019013023.tif 000018
【図１３】
2019013023.tif 000019
【図１４】
2019013023.tif 000020
【図１５】
2019013023.tif 000021
【図１６】
2019013023.tif 000022
【図１７】
2019013023.tif 000023
【図１８】
2019013023.tif 000024
【図１９】
2019013023.tif 000025
【図２０】
2019013023.tif 000026